【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
被写体を撮像する第１の撮像手段と、
被写体を撮像する第２の撮像手段と、
前記第１の撮像手段と前記第２の撮像手段は、
前記第１の撮像手段により一定倍率までデジタルズームを行ったときの画像の画角と、前記第２の撮像手段により撮像した画像の画角とが等しくなるように設定され、かつ、前記第１の撮像手段及び前記第２の撮像手段は共に光軸が並行するように設けられている撮像装置であって、
前記第１の撮像手段により被写体を撮像しているときに、デジタルズームが行われ、デジタルズームの倍率が所定倍率に達したら、前記第２の撮影手段に切り替える切替手段と、
前記切替手段により撮像手段が切り替わると、切り替わった撮像手段により被写体を撮像することを特徴とする撮像装置。
【請求項２】
前記切替手段は、
前記第１の撮像手段により被写体を撮像しているときに、デジタルズームが行われ、デジタルズームの倍率が前記一定倍率より大きくなったら、前記第２の撮影手段に切り替えることを特徴とする請求項１記載の撮像装置。
【請求項３】
前記切替手段は、
前記第２の撮像手段により被写体を撮像しているときに、デジタルズームが行われ、デジタルズームの倍率が１倍より小さくなったら、前記第１の撮影手段に切り替えることを特徴とする請求項１記載の撮像装置。
【請求項４】
撮像手段の切り替えを指示する指示手段を備え、
前記切替手段は、
デジタルズームの倍率が所定倍率に達し、かつ、前記指示手段により撮影手段を切り替える指示があった場合に、撮像手段を切り替えることを特徴とする請求項１乃至３の何れかに記載の撮像装置。
【請求項５】
前記第１の撮像手段と前記第２の撮像手段は、
それぞれ異なる焦点距離の光学系と同一の撮像素子とを有することを特徴とする請求項１乃至４の何れかに記載の撮像装置。
【請求項６】
前記第１の撮像手段と前記第２の撮像手段は、
同一の焦点距離の光学系とセンサーピッチの異なる撮像素子とを有することを特徴とする請求項１乃至４の何れかに記載の撮像装置。
【請求項７】
前記第１の撮像手段によりデジタルズームを行う場合において、
デジタルズームの倍率が増加するにつれて前記第１の撮像手段により撮像された画像の切り出し範囲を徐々に小さくし、かつ、切り出す画像の中心を前記第２の撮像手段の光軸に近づけるように移動させることを特徴とする請求項１乃至６の何れかに記載の撮像装置。
【請求項８】
前記第１の撮像手段によるデジタルズームが一定倍率に達すると、前記切り出す画像の中心の位置と前記第２の撮像手段の光軸の位置とが合致するように切り出す画像の中心を移動させることを特徴とする請求項７記載の撮像装置。
【請求項９】
前記一定倍率は、
ユーザによって任意に設定できることを特徴とする請求項１乃至８の何れかに記載の撮像装置。
【請求項１０】
被写体を撮像する第１の撮像手段と、
被写体を撮像する第２の撮像手段と、
前記第１の撮像手段と前記第２の撮像手段は、
前記第１の撮像手段により一定倍率までデジタルズームを行ったときの画像の画角と、前記第２の撮像手段により撮像した画像の画角とが等しくなるように設定され、かつ、前記第１の撮像手段及び前記第２の撮像手段は共に光軸が並行するように設けられている撮像装置を用いた撮影方法であって、
前記第１の撮像手段により被写体を撮像しているときに、デジタルズームが行われ、デジタルズームの倍率が所定倍率に達したら、前記第２の撮影手段に切り替えるステップと、
このステップにより撮像手段が切り替わると、切り替わった撮像手段により被写体を撮像することを特徴とする撮影方法。
【請求項１１】
第１の画角に対応した焦点距離を有する第１の光学系と、
前記第１の画角より小さい第２の画角に対応した焦点距離を有する第２の光学系と、
前記第１の光学系を介して撮像される画像と前記第２の光学系を介して撮像される画像のどちらを撮影画像とするかを切り換えることでズーム倍率を変化させる制御手段と、
を具備することを特徴とする撮像装置。
【請求項１２】
第１の画角に対応した焦点距離を有する第１の光学系と、
前記第１の画角より小さい第２の画角に対応した焦点距離を有する第２の光学系と、
指定されたズーム倍率が前記第２の画角よりも大きい場合に、前記第１の光学系を介して撮像される画像から前記指定されたズーム倍率の撮影画像を取得する第１の制御手段と、
指定されたズーム倍率が前記第２の画角よりも小さい場合に、前記第２の光学系を介して撮像される画像から前記指定されたズーム倍率の撮影画像を取得する第２の制御手段と、
を具備することを特徴とする撮像装置。
【請求項１３】
前記第１の制御手段は、前記指定されたズーム倍率が前記第１の画角と前記第２の画角との間にある場合には、前記第１の光学系を介して撮像される画像にデジタルズームを施すことにより前記指定されたズーム倍率の撮影画像を取得することを特徴とする請求項１２記載の撮像装置。
【請求項１４】
前記第２の制御手段は、前記指定されたズーム倍率が前記第２の画角より小さい場合には、前記第２の光学系を介して撮像される画像にデジタルズームを施すことにより前記指定されたズーム倍率の撮影画像を取得することを特徴とする請求項１２記載の撮像装置。
【請求項１５】
前記第２の画角以下である第３の画角を閾値として設定し、
徐々に大きくなるズーム倍率が前記閾値として設定された第３の画角より大きくなったときに前記第２の光学系から前記第１の光学系に切り換えて該ズーム倍率の撮影画像を取得することを特徴とする請求項１２記載の撮像装置。
【請求項１６】
前記第２の画角以下である第３の画角を閾値として設定し、
徐々に小さくなるズーム倍率が前記閾値として設定された第３の画角より小さくなったときに前記第２の光学系から前記第１の光学系に切り換えて該ズーム倍率の撮影画像を取得することを特徴とする請求項１２記載の撮像装置。
【手続補正２】
【補正対象書類名】明細書
【補正対象項目名】０００７
【補正方法】変更
【補正の内容】
【０００７】
上記目的のため、請求項１記載の発明による撮像装置は、被写体を撮像する第１の撮像手段と、被写体を撮像する第２の撮像手段と、前記第１の撮像手段と前記第２の撮像手段は、前記第１の撮像手段により一定倍率までデジタルズームを行ったときの画像の画角と、前記第２の撮像手段により撮像した画像の画角とが等しくなるように設定され、かつ、前記第１の撮像手段及び前記第２の撮像手段は共に光軸が並行するように設けられている撮像装置であって、前記第１の撮像手段により被写体を撮像しているときに、デジタルズームが行われ、デジタルズームの倍率が所定倍率に達したら、前記第２の撮影手段に切り替える切替手段と、前記切替手段により撮像手段が切り替わると、切り替わった撮像手段により被写体を撮像することを特徴とする。
【手続補正３】
【補正対象書類名】明細書
【補正対象項目名】０００８
【補正方法】変更
【補正の内容】
【０００８】
また、例えば、請求項２に記載されているように、前記切替手段は、前記第１の撮像手段により被写体を撮像しているときに、デジタルズームが行われ、デジタルズームの倍率が前記一定倍率より大きくなったら、前記第２の撮影手段に切り替えるようにしてもよい。
また、請求項３に記載されているように、前記切替手段は、前記第２の撮像手段により被写体を撮像しているときに、デジタルズームが行われ、デジタルズームの倍率が１倍より小さくなったら、前記第１の撮影手段に切り替えるようにしてもよい。
また、請求項４に記載されているように、撮像手段の切り替えを指示する指示手段を備え、前記切替手段は、デジタルズームの倍率が所定倍率に達し、かつ、前記指示手段により撮影手段を切り替える指示があった場合に、撮像手段を切り替えるようにしてもよい。
【手続補正４】
【補正対象書類名】明細書
【補正対象項目名】００１１
【補正方法】変更
【補正の内容】
【００１１】
上記目的のため、請求項１０記載の発明による撮像方法は、被写体を撮像する第１の撮像手段と、被写体を撮像する第２の撮像手段と、前記第１の撮像手段と前記第２の撮像手段は、前記第１の撮像手段により一定倍率までデジタルズームを行ったときの画像の画角と、前記第２の撮像手段により撮像した画像の画角とが等しくなるように設定され、かつ、前記第１の撮像手段及び前記第２の撮像手段は共に光軸が並行するように設けられている撮像装置を用いた撮影方法であって、前記第１の撮像手段により被写体を撮像しているときに、デジタルズームが行われ、デジタルズームの倍率が所定倍率に達したら、前記第２の撮影手段に切り替えるステップと、このステップにより撮像手段が切り替わると、切り替わった撮像手段により被写体を撮像することを特徴とする。
また、請求項１１記載の発明による撮像装置は、第１の画角に対応した焦点距離を有する第１の光学系と、前記第１の画角より小さい第２の画角に対応した焦点距離を有する第２の光学系と、前記第１の光学系を介して撮像される画像と前記第２の光学系を介して撮像される画像のどちらを撮影画像とするかを切り換えることでズーム倍率を変化させる制御手段と、を具備することを特徴とする。
また、請求項１２記載の発明による撮像装置は、第１の画角に対応した焦点距離を有する第１の光学系と、前記第１の画角より小さい第２の画角に対応した焦点距離を有する第２の光学系と、指定されたズーム倍率が前記第２の画角よりも大きい場合に、前記第１の光学系を介して撮像される画像から前記指定されたズーム倍率の撮影画像を取得する第１の制御手段と、指定されたズーム倍率が前記第２の画角よりも小さい場合に、前記第２の光学系を介して撮像される画像から前記指定されたズーム倍率の撮影画像を取得する第２の制御手段と、を具備することを特徴とする。
また、例えば、請求項１３に記載されているように、前記第１の制御手段は、前記指定されたズーム倍率が前記第１の画角と前記第２の画角との間にある場合には、前記第１の光学系を介して撮像される画像にデジタルズームを施すことにより前記指定されたズーム倍率の撮影画像を取得するようにしてもよい。
また、例えば、請求項１４に記載されているように、前記第２の制御手段は、前記指定されたズーム倍率が前記第２の画角より小さい場合には、前記第２の光学系を介して撮像される画像にデジタルズームを施すことにより前記指定されたズーム倍率の撮影画像を取得するようにしてもよい。
また、例えば、請求項１５に記載されているように、前記第２の画角以下である第３の画角を閾値として設定し、徐々に大きくなるズーム倍率が前記閾値として設定された第３の画角より大きくなったときに前記第２の光学系から前記第１の光学系に切り換えて該ズーム倍率の撮影画像を取得するようにしてもよい。
また、例えば、請求項１６に記載されているように、前記第２の画角以下である第３の画角を閾値として設定し、徐々に小さくなるズーム倍率が前記閾値として設定された第３の画角より小さくなったときに前記第２の光学系から前記第１の光学系に切り換えて該ズーム倍率の撮影画像を取得するようにしてもよい。